(57)【要約】【課題】像担持体が複数設けられた場合であっても、４色以上の多色の画像を、高画質で、且つ、安価で高速に出力することが可能な画像形成装置を提供する。【解決手段】静電像が形成される複数の像担持体１ａ、１ｂと、各々の像担持体に対応する複数の現像装置４１〜４３、４４〜４６と、を備え、現像装置に備えられる現像剤は同一色相で濃度の異なるものの組み合わせが少なくとも複数ある画像形成装置において、同一色相で濃度の異なる現像剤を備える現像装置を同一の像担持体に対応させる。【選択図】　　　　図１
2004125941.tif 000002
【特許請求の範囲】
【請求項１】
静電像が形成される複数の像担持体と、前記像担持体の静電像を可視像とするための、各々の像担持体に対応する複数の現像装置と、を有し、現像装置に備えられる現像剤は同一色相で濃度の異なるものの組み合わせが少なくとも複数ある画像形成装置において、
同一色相で濃度の異なる現像剤を備える現像装置を同一の像担持体に対応させることを特徴とする画像形成装置。
【請求項２】
２個の像担持体にそれぞれ３個づつの現像装置を配していることを特徴とする請求項１に記載の画像形成装置。
【請求項３】
各像担持体の対応づけられる複数の現像装置は、回転体に具備され、回転体が回転することで、現像する現像装置を切り替えることを特徴とする請求項１又は２に記載の画像形成装置。
【請求項４】
３個の像担持体にそれぞれ２個づつの現像装置を配していることを特徴とする請求項１に記載の画像形成装置。
【請求項５】
複数の像担持体において静電像形成位置から現像位置までの距離が等しいことを特徴とする請求項１〜４のいずれかの項に記載の画像形成装置。
【請求項６】
前記像担持体は電子写真感光体であり、前記静電像形成位置は画像露光位置であることを特徴とする請求項５に記載の画像形成装置。
【請求項７】
同一色相で明度の異なる現像剤のうちそれらの色相として、少なくとも、シアンとマゼンタを含むことを特徴とする請求項１〜６のいずれかの項に記載の画像形成装置。
【請求項８】
同一色相で濃度の異なるものの組み合わせが少なくとも複数ある現像剤を用いて画像を形成する画像形成装置において、
同一色相で明度の異なる画像を形成する際に、ハーフトーンスクリーンのスクリーン角は同一に設定することを特徴とする画像形成装置。
【請求項９】
静電像が形成される複数の像担持体と、前記像担持体の静電像を可視像とするための、各々の像担持体に対応する複数の現像装置と、を有し、現像装置に備えられる現像剤は同一色相で濃度の異なるものの組み合わせが少なくとも複数あり、同一色相で濃度の異なる現像剤を備える現像装置を同一の像担持体に対応させることを特徴とする請求項８に記載の画像形成装置。
【発明の詳細な説明】
【０００１】
【発明の属する技術分野】
本発明は、少なくとも４個以上の現像装置を具備し、多色画像を形成する電子写真方式、静電記録方式などの画像形成装置に関するものである。
【０００２】
【従来の技術】
画像形成装置の最近の進歩とともに、ニーズのレベルも高くなり従来の４色画像形成装置に対して色数を増やす電子写真方式などの画像形成装置が提案され、一部実現されている。
【０００３】
それらは、従来の一般的なシアン、マゼンタ、イエロー、ブラックの４色に加え、例えば赤、青、緑や金、銀、蛍光色等の特色に対応するものや、インクジェット方式では一般的な淡いシアン、淡いマゼンタなどを加えるものなどさまざまであるが、目的は、それぞれ画質的に差別化することである。
【０００４】
その場合の画像形成装置はさまざまなタイプがあるが、例えば６色の画像形成装置を考えると一般的には、リーダ部１Ｒとプリンタ部１Ｐとを有し、プリンタ部１Ｐは、図５に示すようなタンデム型、或いは、図６に示すような１つの像担持体型、或いは、図７に示すような、２つの像担持体型（例えば、特許文献１参照）、更には、図８に示す２つの像担持体に各々ロータリ切替の現像装置が対応しているタイプ、のものが考えられる。
【０００５】
更に説明すると、図５に示すタンデム型の画像形成装置は、６つの像担持体１ａ、１ｂ、１ｃ、１ｄ、１ｅ、１ｆにそれぞれ異なる分光特性の現像剤を装填した現像装置４１、４２、４３、４４、４５、４６を対応させ、それらを直列に配置したものである。この方式であれば、４色の画像形成装置をベースに考えた場合においても、画像の出力速度は同じにすることが可能なため、生産性重視のタイプと言える。
【０００６】
一方で、図６に示す一つの像担持体１に対して６個の現像装置４１、４２、４３、４４、４５、４６を対応させた画像形成装置では、現像装置４１、４２、４３、４４、４５、４６は、これら現像装置４１、４２、４３、４４、４５、４６を担持したロータリ部（回転体）４を回転することにより、現像装置４１、４２、４３、４４、４５、４６を切り替えながら現像を行う。従って、像担持体１に形成された各色毎の画像を中間転写体５に一次転写し、中間転写体５上で多重転写を行い、６色すべて転写し終わった段階で、給紙装置７１、７２、７３などから送給される転写材に二次転写ローラ５６の作用の下に２次転写する構成をとっている。このように構成することで、スペースを最小限にしながら６色画像を出力することが可能になっている。
【０００７】
図７に示すタイプの画像形成装置は、上記図５、図６で示すタイプの折衷案の形である。つまり、このタイプの画像形成装置は、直列に配列された２つの像担持体１ａ、１ｂに対してそれぞれ２個の現像装置４１、４２；４３、４４を対応させた構成とされ、両者の特徴をバランスよく組み合わせた画像形成装置であり、小型、安価、高速のニーズを満たすものである。
【０００８】
図８に示すタイプの画像形成装置は、２つの像担持体１ａ、１ｂに対してそれぞれ、３個の現像装置４１、４２、４３；４４、４５、４６を備えたロータリ（回転体）４ａ、４ｂを配置し、回転体４ａ、４ｂを回転することにより、現像装置を切り替えながら現像を行う。そして、像担持体１ａ、１ｂに形成された各色の画像を中間転写体５に一次転写し、中間転写体５上で多重転写を行い、６色すべて転写し終わった段階で、給紙装置７１、７２、７３などから送給される転写材に二次転写ローラ５６の作用の下に２次転写する構成とされる。このタイプの画像形成装置は、図７に示す画像形成装置の構成にて、更に、露光−現像間の距離を一定にすることで更なる高画質化を図っている。
【０００９】
以上述べたような、上記各構成の画像形成装置においても、それぞれ最適な方法で画質調整を行っているが、色ずれ調整という観点で比較してみると、次のことが言える。
【００１０】
先ず、図６に示すような、１つの像担持体１を備えた画像形成装置の場合には、レーザービームスキャナのような露光装置３を備えている場合、主操作方向（レーザの操作方向）に関しては、ポリゴン回転が一定でその回転に対するレーザの書き出しのタイミングさえ合えばよいので、書き出タイミングを合わせるような制御を行っている。副走査方向に対しても像担持体１の位置に対しての書き出しタイミングが一定であればよいため、書き出しタイミングを一定とするような時間制御を行う。
【００１１】
それに対して、複数の像担持体を用いる画像形成装置の場合には、主操作方向副走査方向ともに、各像担持体の相対的な位置関係を常に補正する必要があり、そのために、何らかの色ずれ補正用のマークを描画し、その相対的な位置関係を読み取りレーザ書き込み等に補正をかけるという作業を行っている。
【００１２】
そのようにすることで、像担持体の数によらず６色の画像を形成することが可能となっている。
【００１３】
また、一般にカラー画像は、モアレ防止の目的でハーフトーンスクリーンのスクリーン角を色ごとに異なる値に設定している。印刷では、シアン１５度、マゼンタ７５度、イエロー０度、ブラック４５度の組み合わせが一般的に知られている。
【００１４】
電子写真方式のカラー画像形成装置においては、例えばキヤノンＣＬＣ１１５０シリーズのように、４色ともに同じスクリーン角度（９０度）で画像形成しているものもある。これは像担持体が１つのシステムであり、色ずれを起こし難いシステムであるために採用されている。一般的には、複数の像担持体を用いる画像形成装置ではこのような４色同一スクリーンはモアレを発生させやすいために用いられない傾向がある。
【００１５】
【特許文献１】
特開平４−２０４８７１号公報
【００１６】
【発明が解決しようとする課題】
しかしながら、モアレ防止のために６色の画像をスクリーン角を変えて設定する場合、角度の取り方が非常に難しくなってしまう。モアレは空間周波数の近いものが強く発生するため、スクリーン角が近い場合にはモアレが発生しやすくなるためである。
【００１７】
一方で、スクリーン角によるモアレが発生しないような同一のスクリーン角で画像形成する場合には、各色の色ずれが起こらないことが前提となる。色ずれが発生してしまうと、その部分で色むらが発生し、画像品質を大きく損なうことになってしまう。
【００１８】
色ずれは、一般的には像担持体の数が多ければ多いほどおきやすくなる傾向があるため像担持体数は少ないほうが高画質化しやすい傾向がある。
【００１９】
しかしながら、像担持体の数が少ない場合には色数が増えれば増えるほどがプロダクティビティが落ち込む弊害がある。また、色ずれを防ぐために精密な制御を行えば複数の像担持体においても高画質化は可能であるが、その場合にはコストがかなり高くなってしまうという弊害が発生する。
【００２０】
そこで、本発明の目的は、像担持体が複数設けられた場合であっても、４色以上の多色の画像を、高画質で、且つ、安価で高速に出力することが可能な画像形成装置を提供することである。
【００２１】
【課題を解決するための手段】
上記目的は本発明に係る画像形成装置にて達成される。要約すれば、第１の本発明は、静電像が形成される複数の像担持体と、前記像担持体の静電像を可視像とするための、各々の像担持体に対応する複数の現像装置と、を有し、現像装置に備えられる現像剤は同一色相で濃度の異なるものの組み合わせが少なくとも複数ある画像形成装置において、
同一色相で濃度の異なる現像剤を備える現像装置を同一の像担持体に対応させることを特徴とする画像形成装置である。
【００２２】
本発明の一実施態様によると、２個の像担持体にそれぞれ３個づつの現像装置を配している。
【００２３】
本発明の他の実施態様によると、各像担持体の対応づけられる複数の現像装置は、回転体に具備され、回転体が回転することで、現像する現像装置を切り替える。
【００２４】
本発明の他の実施態様によると、３個の像担持体にそれぞれ２個づつの現像装置を配している。
【００２５】
本発明の他の実施態様によると、複数の像担持体において静電像形成位置から現像位置までの距離が等しい。又、本発明の他の実施態様によると、前記像担持体は電子写真感光体であり、前記静電像形成位置は画像露光位置である。
【００２６】
本発明の他の実施態様によると、同一色相で明度の異なる現像剤のうちそれらの色相として、少なくとも、シアンとマゼンタを含む。
【００２７】
第２の本発明によると、同一色相で濃度の異なるものの組み合わせが少なくとも複数ある現像剤を用いて画像を形成する画像形成装置において、
同一色相で明度の異なる画像を形成する際に、ハーフトーンスクリーンのスクリーン角は同一に設定することを特徴とする画像形成装置が提供される。
【００２８】
第２の本発明の一実施態様によると、静電像が形成される複数の像担持体と、前記像担持体の静電像を可視像とするための、各々の像担持体に対応する複数の現像装置と、を有し、現像装置に備えられる現像剤は同一色相で濃度の異なるものの組み合わせが少なくとも複数あり、同一色相で濃度の異なる現像剤を備える現像装置を同一の像担持体に対応させる。
【００２９】
【発明の実施の形態】
以下、本発明に係る画像形成装置を図面に則して更に詳しく説明する。
【００３０】
実施例１
図１に、本発明の画像形成装置の一実施例である電子写真方式のフルカラー画像形成装置の概略断面構成を示す。本実施例のフルカラー画像形成装置は、上部にデジタルカラー画像リーダ部１Ｒを、下部にデジタルカラー画像プリンタ部１Ｐを有する。
【００３１】
リーダ部１Ｒにおいて、原稿３０を原稿台ガラス３１上に載せ、露光ランプ３２により露光走査することにより、原稿３０からの反射光像をレンズ３３により、フルカラーＣＣＤセンサ３４に集光しカラー色分解画像信号を得る。カラー色分解画像信号は、不図示の増幅回路を経て、不図示のビデオ処理ユニットにて画像処理を施され不図示の画像メモリを介してプリンタ部１Ｐに送出される。
【００３２】
プリンタ部１Ｐには、リーダ部１Ｒからの信号のほか、コンピュータからの画像信号、ＦＡＸからの画像信号なども同様に送出されてくる。
【００３３】
本実施例では、一例として、リーダ部１Ｒからの信号に基づきプリンタ部１Ｐが動作するものとして説明する。
【００３４】
プリンタ部１Ｐにおいて、像担持体である２つの感光ドラム１ａ、１ｂは、各々図中矢印方向に回転自在に担持され、それぞれの感光ドラム１ａ、１ｂの周りに、前露光ランプ１１ａ、１１ｂ、コロナ一次帯電器２ａ、２ｂ、レーザ露光光学系３ａ、３ｂ、電位センサ１２ａ、１２ｂ、回転式現像装置保持部、即ち、回転体４ａ、４ｂ、及び、各々の回転体４ａ、４ｂに分光特性の異なるトナーを装填された３個の現像装置４１、４２、４３及び４４、４５、４６、転写装置５ａ、５ｂ、クリーニング器６ａ、６ｂを配置する。
【００３５】
現像装置４１〜４６にて、現像装置４１にはマゼンタトナー、現像装置４２には薄いマゼンタトナー、現像装置４３にはイエロートナー、現像装置４４にはシアントナー、４５には薄いシアントナー、４６にはブラックトナーが装填されている。
【００３６】
これらの他に、金、銀などのメタリック系トナーや、蛍光剤を含むトナーを装填することも可能である。
【００３７】
また、本実施例にて、現像装置４１〜４６にはトナーとキャリアを混合させて用いる２成分現像剤が装填されているが、トナーのみの１成分現像剤でも問題はない。
【００３８】
また、現像装置の数は本実施例では６個であるが、４個以上であればいくつでも構わない。
【００３９】
ここで、マゼンタとシアンに対して濃い色と薄い色を用いた場合には、一般に粒状性の低減を達成することが知られている。
【００４０】
レーザ露光光学系３（３ａ、３ｂ）においてリーダ部１Ｒからの画像信号は、不図示のレーザ出力部にて光信号に変換され、光信号に変換されたレーザ光がポリゴンミラーで反射され、レンズ及び各反射ミラーを経て感光ドラム１ａ、１ｂの面に投影される。
【００４１】
プリンタ部画像形成時には感光ドラム１ａ、１ｂを矢印方向に回転させ、前露光ランプ１１ａ、１１ｂ、で除電した後の感光ドラム１ａ、１ｂを一次帯電器２ａ、２ｂ、により一様に帯電させて、それぞれの分解色ごとに露光し、感光ドラム１ａ、１ｂ上に静電像を形成する。
【００４２】
次に、回転体４ａ、４ｂを回転させ、所定の現像装置を感光ドラム１ａ、１ｂ上の現像位置に移動させ、その後に現像装置を作動させて、感光ドラム１ａ、１ｂ上の潜像を現像し、感光ドラム１ａ、１ｂ上に樹脂と顔料を基体とした可視像（トナー像）を形成する。
【００４３】
本実施例の画像形成装置は、このように構成することで、露光部から現像部までの距離を常に色によらず一定にすることが可能となり、色による出力画像特性の差が発生しにくい構成になっている。
【００４４】
また、現像装置内のトナーは、図１に示すようにレーザ露光光学系３ａ、３ｂの間、及び、レーザ露光光学系３ｂの横に配置された各色毎のトナー収容部（ホッパー）６１〜６６から現像装置内のトナー比率（或いは、トナー量）を一定に保つように所望のタイミングにて随時補給される。
【００４５】
感光ドラム１ａ、１ｂ上に形成されたトナー像は、それぞれの転写装置５ａ、５ｂにおいて中間転写体としての中間転写ベルト５に一次転写され、そしてこの中間転写ベルト５上でそれぞれのトナー像が順次重ねられる。
【００４６】
中間転写ベルト５は、駆動ローラ５１、従動ローラ５２、及び、ローラ５３、５４の間に張設され、駆動ローラ５１によって駆動されている。また、中間転写ベルト５を挟んだ対向位置に転写クリーニング装置５０を配置し、駆動ローラ５１に対して接離可能に構成する。
【００４７】
また、従動ローラ５２の対向位置には、それぞれの感光ドラム１ａ、１ｂから転写された画像の位置ズレ及び濃度の検知を行う検知センサ５５が配置されており、随時各画像形成部に画像濃度、トナー補給量、画像書き込みタイミング、及び画像書き込み開始位置等に対して補正を行っている。
【００４８】
転写クリーニング装置５０は、中間転写ベルト５上に必要色だけ画像を重ね終えた後に、駆動ローラ５１に加圧され、転写材に転写した後の中間転写ベルト５上の残トナーをクリーニングする。
【００４９】
一方、転写材は、各収納部７１、７２、７３、或いは、手差し給紙部７４から各々の給紙手段８１、８２、８３或いは８４によって一枚ずつ搬送され、レジストローラ８５にて斜行を補正し、所望のタイミングにて中間転写ベルト５上のトナー像を転写材に転写する二次転写部５６に搬送される。
【００５０】
二次転写部５６にて転写材上にトナー像が転写され、転写材は搬送部８６を通り、熱ローラ定着器９にてトナー像を定着され、排紙トレー或いは後処理装置に排出される。
【００５１】
他方、二次転写後の中間転写ベルト５は、前述のように転写残トナーを転写クリーニング装置５０にてクリーニングされ、再び各画像形成部の一次転写工程に供する。
【００５２】
また、転写材の両面に画像を形成する場合には、定着器９を転写材が通過後すぐに搬送パスガイド９１を駆動し、転写材を搬送パス７５を経て反転パス７６にいったん導いた後、反転ローラ８７の逆転により、送り込まれた際の後端を先頭にして、送り込まれた方向と反対向きに退出させ、両面搬送パス７７へと送られる。その後、両面搬送パス７７を通過し両面搬送ローラ８８にて斜行補正とタイミング取りを行い、所望のタイミングにてレジストローラ８５へと搬送され、再び上述した画像形成工程によってもう一方の面に画像を転写する。
【００５３】
ここで、濃トナーと淡トナーの画像形成方法について述べる。
【００５４】
本発明では、濃淡トナーはシアンとマゼンタに用いている。シアン、マゼンタにおいて粒状感を低減することで、画像全体の粒状感を大幅に減らすことが可能である。
【００５５】
シアン、マゼンタの濃淡トナーのそれぞれの濃度は、濃トナーが０．６ｍｇ／ｃｍ２で１．６、淡トナーが０．６ｍｇ／ｃｍ２で０．８となるように顔料量を調整している。
【００５６】
これらを上手くつなげながら画像形成することで、低濃度部では粒状感を低減し、高濃度部ではトナー消費量を抑えることが可能となる。
【００５７】
基本的なつなげ方として、図３に示すように濃淡トナーの出力濃度を調整するのが一般的である。
【００５８】
また、本発明の濃淡を用いた６色画像形成装置でのスクリーン角の設定に関して説明すると、通常の印刷でも見られるようにシアン、マゼンタ、イエロー、ブラックは異なるスクリーン角を用いて画像形成するのが一般的である。しかしながら、６色の場合にはモアレを回避できるスクリーン角の設定が困難なため、図２のような設定にする。ここで、スクリーン角とは図２中に記入の水平線からのスクリーンパタンの重心線の角度を意味している。
【００５９】
濃シアン、淡シアンを１５度、濃マゼンタ、淡マゼンタを７５度、イエローを０度、ブラックを４５度とする。ここで、シアン、マゼンタのような同一色相の濃淡を同一スクリーン角で形成しているのは、画像のモアレの発生を最小限に抑えることが目的である。ここで、同一色相とは一般的にシアン、マゼンタ、イエロー、ブラック等のように通常の色概念上同一色と呼べる範囲とする。本実施例においては色相的には４色相（シアン、マゼンタ、イエロー、ブラック）のトナーを用いているので、同一色相とはシアン、マゼンタ、イエロー、ブラックの分光特性を示す範囲を言う。
【００６０】
一般に、同一のスクリーン角度で画像形成すると、そこでのモアレが発生しやすいが、当然であるが、それは同時にその２色を画像形成するときに限られる。濃淡の画像を形成する場合には、単純には図３に示すような濃淡の入出力特性を持つように設計する。このようにすると、濃淡のトナーを同時に画像形成するモアレの発生しやすい領域は中間調のやや高濃度側という限られたポイントとなる。
【００６１】
これに対して、例えばシアンとマゼンタなどのように色相の異なる２色の場合には、常に同時に画像形成する可能性がある。つまり、異なる２つのトナーを画像形成する場合には、濃淡の組み合わせがもっとも同時に画像形成する可能性が低く、スクリーン角をそろえる組み合わせに適しているといえる。
【００６２】
しかし、そうであっても、色ずれが発生すると同時に画像形成する部分ではモアレが発生してしまいやすいので、なるべく色ずれが発生しないように、本発明においては、濃淡２つの現像装置を同一の感光ドラム、即ち、同一の像担持体に配置することで、色ずれを最低限に抑える構成をとっている。
【００６３】
同一像担持体の場合には、色ずれの発生要因は別の像担持体に比べ、下記の点で有利である。
【００６４】
つまり、同一像担持体の場合には主走査方向に対しては、ポリゴンミラーの回転に対して書き出しタイミングさえそろえれば色ずれは発生しない。また、副走査方向に対しては、像担持体の偏心などに対しては、像担持体の位置に対して書き出しタイミングをそろえることで色ずれは抑えられる。
【００６５】
これに対して、異なる像担持体間の色ずれを抑えようとすると、像担持体ごとの偏心の違いや、主走査位置のズレ（ポリゴンの照射位置のズレ）等を像担持体の位相合わせやポリゴンミラーに対する書き出し位置の制御等の別手段で補正するしかない。しかも、その補正をすることで色ずれを完全に抑えることは困難なためその制御の誤差を発生させることになる。
【００６６】
従って、結局、同一像担持体での色ずれの方が異なる像担持体間での色ずれよりも原理的に小さくなりやすい。
【００６７】
以上より、２つの像担持体を持ち、濃淡トナーの組み合わせを含む６色の画像形成装置において、スクリーン角をモアレの発生しにくい４つの角度を使用し、シアン、マゼンタのそれぞれの濃淡の組み合わせを同じスクリーン角に設定し、かつ、同一の像担持体で画像形成することにより、モアレが出ない高画質な画像を安価に、高速で出力可能な画像形成装置を提供することが可能となる。
【００６８】
本実施例においては、２つの像担持体を持つ場合を述べたが、本質的には像担持体の数によらず濃淡の組み合わせを同じスクリーン角に設定することは有効である。その構成で、濃淡の組み合わせを同一の像担持体で画像形成することにより更なる画質改善が達成される。
【００６９】
実施例２
以下、本発明に係る第２実施例の画像形成装置を説明する。
【００７０】
図４に、本実施例の画像形成装置の概略断面構成を示す。図４に示すように、本実施例の画像形成装置は、６個の現像装置と、３つの像担持体としての感光ドラムを持つ。
【００７１】
つまり、本実施例によると、プリンタ部１Ｐにおいて、像担持体である３つの感光ドラム１ａ、１ｂ、１ｃは、各々図中矢印方向に回転自在に担持され、それぞれの感光ドラム１ａ、１ｂ、１ｃの周りに、前露光ランプ１１ａ、１１ｂ、１１ｃ、コロナ一次帯電器２ａ、２ｂ、２ｃ、レーザ露光光学系３ａ、３ｂ、３ｃ、電位センサ１２ａ、１２ｂ、１２ｃ、及び、各感光体ドラム１ａ、１ｂ、１ｃの周りにそれぞれ２個の現像装置４１、４２；４３、４４；４５、４６、更に、転写装置５ａ、５ｂ、５ｃ、クリーニング器６ａ、６ｂ、６ｃが配置されている。
【００７２】
その他の構成は、実施例１と同様であるので、同じ構成及び作用をなす部材には同じ参照番号を付して、再度の説明は省略する。
【００７３】
本実施例では、３つの感光ドラム１ａ、１ｂ、１ｃ、即ち、３つの像担持体をもつことで、６色画像形成が、中間転写体、即ち、中間転写ベルト５が２周することで可能となり、中間転写ベルトが３周することが必要な、実施例１に示すような２つの像担持体を備えた構成の画像形成装置に対してプロダクティビティ−を単純には１．５倍とすることが可能である。
【００７４】
本実施例にて、それぞれの像担持体に対する現像装置の組み合わせとしては、現像装置４１、４２を濃シアンと淡シアン、現像装置４３、４４を濃マゼンタと淡マゼンタ、現像装置４５、４６をイエローとブラックとすることができる。
【００７５】
また、各々のスクリーン角は実施例１と同様に濃シアン、淡シアンを１５度、濃マゼンタ、淡マゼンタを７５度、イエローを０度、ブラックを４５度としている。
【００７６】
このような組み合わせにすることで、モアレを最小限にしながら色ずれの影響を最も受けにくくすることが可能となる。
【００７７】
以上のように、本実施例では、３つの像担持体を持ち、濃淡トナーの組み合わせを含む６色の画像形成装置において、スクリーン角をモアレの発生しにくい４つの角度を使用し、シアン、マゼンタのそれぞれの濃淡の組み合わせを同じスクリーン角に設定し、かつ、同一の像担持体で画像形成することにより、モアレが出ない高画質な画像を安価に、高速で出力可能な画像形成装置を提供することが可能となる。
【００７８】
【発明の効果】
以上説明したように、本発明は、
（Ａ）静電像が形成される複数の像担持体と、像担持体の静電像を可視像とするための、各々の像担持体に対応する複数の現像装置と、を有し、現像装置に備えられる現像剤は同一色相で濃度の異なるものの組み合わせが少なくとも複数ある画像形成装置において、同一色相で濃度の異なる現像剤を備える現像装置を同一の像担持体に対応させる構成とされるか、又は、
（Ｂ）同一色相で濃度の異なるものの組み合わせが少なくとも複数ある現像剤を用いて画像を形成する画像形成装置において、同一色相で明度の異なる画像を形成する際に、ハーフトーンスクリーンのスクリーン角は同一に設定する構成とされる。
【００７９】
従って、本発明によれば、像担持体が複数設けられた場合であっても、４色以上の多色の画像を、高画質で、且つ、安価で高速に出力することが可能である。また、その濃度の異なる２つの画像のハーフトーンスクリーン角を同一にすることで、モアレが少なく、色ずれの影響の小さい高画質な画像を安価に高速で出力することが可能となる。
【図面の簡単な説明】
【図１】本発明の実施例１のフルカラー画像形成装置の概略断面構成図である。
【図２】実施例１におけるハーフトーンスクリーン角を示す図である。
【図３】実施例１における同一色相での濃淡の画像の入出力特性を示す図である。
【図４】本発明の実施例２のフルカラー画像形成装置の概略断面構成図である。
【図５】６色画像形成装置の構成をタンデム型で実現した画像形成装置の概略断面構成図である。
【図６】６色画像形成装置の構成を１つの感光ドラムで実現した画像形成装置の概略断面構成図である。
【図７】２つの感光ドラムで実現した画像形成装置の概略断面構成図である。
【図８】２つの感光ドラムで実現した回転現像装置が設けられた画像形成装置の概略断面構成図である。
【符号の説明】
１（１ａ〜１ｆ）　　　　感光ドラム（像担持体）
２（２ａ〜２ｆ）　　　　帯電器
３（３ａ〜３ｃ）　　　　露光装置
４（４ａ、４ｂ）　　　　回転体（回転式現像装置保持部）
５　　　　　　　　　　　中間転写ベルト（中間転写体）
４０〜４６　　　　　　　現像装置
【図１】
2004125941.tif 000003
【図２】
2004125941.tif 000004
【図３】
2004125941.tif 000005
【図４】
2004125941.tif 000006
【図５】
2004125941.tif 000007
【図６】
2004125941.tif 000008
【図７】
2004125941.tif 000009
【図８】
2004125941.tif 000010